(57)【要約】【課題】ユーザの意図しない動作モードで動作してしまう状況を低減する。【解決手段】撮像装置１００において、動画レバー２１２は、動画記録可能な状態である動画撮影モードに遷移させる指示を行うための操作部材である。また、動画レバー２１２の誤操作により意図せずに動画撮影モードに遷移するのを回避するために、動画レバー２１２の操作による指示の有効化及び無効化を設定することができる。マイクロコンピュータ４０は、動画撮影モードでの動作時に、無効化に切り替えられたことに応じて、静止画撮影モードに遷移させる。【選択図】図６
2020182034.tif 000002
【特許請求の範囲】
【請求項１】
動作モードの切り替え指示を行うための操作部材と、
前記操作部材への操作に応じた第１の動作モードへの切替を制限した制限状態に設定する設定手段と、
前記第１の動作モードに設定されている場合に、前記設定手段によって前記制限状態に設定されたことに応じて、前記第１の動作モードとは異なる第２の動作モードに切り替えるように制御する制御手段と
を有することを特徴とする電子機器。
【請求項２】
前記操作部材は、前記第１の動作モードと前記第２の動作モードを含む複数の動作モードのうちいずれかに対応する位置に変位可能であり、
前記制御手段は、前記操作部材が前記第１の動作モードに対応する位置にあり、前記第１の動作モードに設定されている場合に、前記設定手段によって前記制限状態に設定されたことに応じて、前記第２の動作モードに切り替えるように制御することを特徴とする請求項１に記載の電子機器。
【請求項３】
前記制御手段は、前記第１の動作モードでの動作時に、前記設定手段によって前記制限状態に切り替えられたことに応じて、前記電子機器の再起動処理を伴って前記第２の動作モードに遷移させるように制御することを特徴とする請求項１又は２に記載の電子機器。
【請求項４】
前記制御手段は、前記再起動処理を行うときに画面表示をブラックアウトすることを特徴とする請求項３に記載の電子機器。
【請求項５】
前記設定手段によって前記制限状態に設定された状態でも、前記操作部材の操作による指示とは異なる指示により、前記第１の動作モードに遷移させることが可能であることを特徴とする請求項１乃至４のいずれか１項に記載の電子機器。
【請求項６】
前記異なる指示はリモート操作による指示であることを特徴とする請求項５に記載の電子機器。
【請求項７】
撮像部を更に有することを特徴とする請求項１乃至６のいずれか１項に記載の電子機器。
【請求項８】
前記第１の動作モードは、前記撮像部で動画を撮影するための動画撮影モードであることを特徴とする請求項７に記載の電子機器。
【請求項９】
前記第２の動作モードは、前記撮像部で静止画を撮影するための静止画撮影モードであることを特徴とする請求項７又は８に記載の電子機器。
【請求項１０】
前記制御手段は、前記第２の動作モードに遷移させるときに、前記撮像部でライブビューを撮影可能な状態から光学ファインダで被写体像を確認可能な状態へ遷移させるためのミラーの駆動を行うことを特徴とする請求項７乃至９のいずれか１項に記載の電子機器。
【請求項１１】
前記制御手段は、前記第２の動作モードに遷移させるときにシャッタを閉じることを特徴とする請求項７乃至１０のいずれか１項に記載の電子機器。
【請求項１２】
前記操作部材は、所定の位置に位置させることにより、前記第１の動作モードに遷移させる指示を行うレバーであることを特徴とする請求項１乃至１１のいずれか１項に記載の電子機器。
【請求項１３】
動作モードの切り替え指示を行うための操作部材を有する電子機器の制御方法であって、
前記操作部材への操作に応じた第１の動作モードへの切替を制限した制限状態に設定する設定ステップと、
前記前記第１の動作モードに設定されている場合に、前記設定ステップによって前記制限状態に設定されたことに応じて、前記第１の動作モードとは異なる第２の動作モードに切り替えるように制御する制御ステップと
を有することを特徴とする電子機器の制御方法。
【請求項１４】
コンピュータを、請求項１乃至１２のいずれか１項に記載された電子機器の各手段として機能させるためのプログラム。
【請求項１５】
コンピュータを、請求項１乃至１２のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、その制御方法、プログラム及び記憶媒体に関する。
【背景技術】
【０００２】
電子機器の操作性に関する技術として、例えば次のようなものがある。
特許文献１には、携帯機器及び撮像装置において、電源が投入されたことが検出されてから所定の時間以上キー入力が行われていないことを検出された場合にショートカットキーを無効にする構成が開示されている。これにより、状況に応じて自動的にキー操作を制限することができる。
また、特許文献２には、撮像装置の操作がロックされた場合に、レリーズ動作と、登録された主項目と副項目のみを操作可能に制限する構成が開示されている。これにより、カメラの操作をロックした場合でも、ユーザが希望する機能を操作可能とすることができる。
【先行技術文献】
【特許文献】
【０００３】
【特許文献１】特開２０１０−９８５８９号公報
【特許文献２】特開２００８−２０５８４１号公報
【発明の概要】
【発明が解決しようとする課題】
【０００４】
ここで、電子機器において、所定の動作モードに遷移させる指示を行うための操作部材を設け、当該操作部材をワンタッチ操作可能として、簡易に所定の動作モードに遷移させられるようにしたものがある。一方で、当該操作部材の誤操作により意図せずに所定の動作モードに遷移するのを回避するために、ユーザの意思により、当該操作部材の操作による指示の有効化及び無効化を設定可能にすることが考えられる。無効化に設定されている限り、当該操作部材の操作による指示は常時無効とされる。
しかしながら、この場合、所定の動作モードでの動作時に無効化に切り替えられると、無効化に設定されているのに所定の動作モードになっているという不整合が生じ、ユーザの混乱を招くおそれがある。
【０００５】
特許文献１は、所定の時間との関係に応じて自動的にキー操作を制限するものであり、ユーザの意思により、操作部材の操作による指示を無効にするものとは異なる。
また、特許文献２は、撮像装置の操作がロックされた場合の操作を制限するものであり、無効化に設定されている限り、操作部材の操作による指示を常時無効にするものとは異なる。
これら特許文献１及び特許文献２では、上述のように所定の動作モードでの動作時に無効化に切り替えられたときの不整合をなくすことについては考慮されていない。
【０００６】
本発明は上記のような点に鑑みてなされたものであり、ユーザの意図しない動作モードで動作してしまう状況を低減することを目的とする。
【課題を解決するための手段】
【０００７】
本発明の電子機器は、動作モードの切り替え指示を行うための操作部材と、前記操作部材への操作に応じた第１の動作モードへの切替を制限した制限状態に設定する設定手段と、前記第１の動作モードに設定されている場合に、前記設定手段によって前記制限状態に設定されたことに応じて、前記第１の動作モードとは異なる第２の動作モードに切り替えるように制御する制御手段とを有することを特徴とする。
【発明の効果】
【０００８】
本発明によれば、ユーザの意図しない動作モードで動作してしまう状況を低減することができる。
【図面の簡単な説明】
【０００９】
【図１】実施形態に係る撮像装置の構成例を示す図である。
【図２】実施形態に係る撮像装置の外観構成例を示す図である。
【図３】実施形態に係る撮像装置が実行する撮影モード処理を示すフローチャートである。
【図４】動画撮影モード遷移処理の詳細を説明するためのフローチャートである。
【図５】静止画撮影モード遷移処理の詳細を説明するためのフローチャートである。
【図６】動画レバー有効／無効設定の切替処理の詳細を説明するためのフローチャートである。
【図７】再起動処理の詳細を説明するためのフローチャートである。
【図８】動画レバー有効／無効設定画面の例を示す図である。
【図９】動画撮影モードにおける液晶表示部の表示例を示す図である。
【発明を実施するための形態】
【００１０】
以下、添付図面を参照して、本発明の好適な実施形態について説明する。
図１は、実施形態に係る撮像装置１００の構成例を示す図である。実施形態に係る撮像装置１００は、本発明を適用した電子機器の一例である。本実施形態では、撮像装置としてデジタル一眼レフカメラを説明する。
撮像装置１００には、レンズ５を搭載するレンズユニット２００が交換可能に装着される。レンズ５は、通常、複数枚のレンズから構成されるが、ここでは簡略して一枚のレンズのように図示する。
通信端子６は、レンズユニット２００が撮像装置１００と通信を行うための通信端子である。通信端子１０は、撮像装置１００がレンズユニット２００と通信を行うための通信端子である。レンズユニット２００は、通信端子６、１０を介して撮像装置１００のマイクロコンピュータ４０と通信し、レンズシステム制御回路４により絞り駆動回路２を介して絞り１の制御を行い、ＡＦ駆動回路３を介してレンズ５の位置を変位させることで焦点を合わせる。また、撮像装置１００のマイクロコンピュータ４０は、通信端子６、１０を介して、レンズユニット２００の開放絞り値及び最小絞り値を取得する。
【００１１】
ＡＦセンサ１１は、マイクロコンピュータ４０にデフォーカス量情報を出力する。マイクロコンピュータ４０は、デフォーカス量情報に基づいてレンズユニット２００を制御する。
クイックリターンミラー１２は、マイクロコンピュータ４０の制御下で、不図示のアクチュエータによりアップダウンされる。クイックリターンミラー１２は、通常時はファインダ１６へと光束を導くよう反射させるように配置されている（ミラーダウン）。撮影者は、ペンタプリズム１４とファインダ１６を介して、フォーカシングスクリーン１３を観察することで、レンズユニット２００を通して得た被写体の光学像の焦点や構図を確認することができる。ＡＥセンサ１５は、レンズユニット２００を通した被写体の輝度を測光する。そして、クイックリターンミラー１２は、撮影が行われる場合やライブビュー表示の場合に、撮像部を構成する撮像素子２０へと光束を導くように上方に跳ね上がり、光束中から待避する（ミラーアップ）。
【００１２】
フォーカルプレーンシャッタ１７は、マイクロコンピュータ４０の制御下で、撮像素子２０の露光時間を制御する。光学フィルタ１８は、ローパスフィルタ等により構成され、フォーカルプレーンシャッタ１７より入ってくる光の高周波成分をカットして、撮像素子２０に被写体像を導光する。撮像素子２０は、ＣＣＤやＣＭＯＳ等が用いられ、レンズユニット２００を通して撮像素子２０上に結像された被写体象を光電変換して電気信号として取り込む。ＡＭＰ回路２１は、取り込まれた電気信号に対して、設定されている撮影感度に応じたゲインで撮影信号を増幅する。Ａ／Ｄ変換回路２２は、撮像素子２０により電気信号に変換されたアナログ信号をデジタル信号に変換する。
【００１３】
画像処理回路２３は、Ａ／Ｄ変換回路２２によりデジタル信号に変換された画像データに対して、フィルタ処理、色変換処理、ガンマー／ニー処理を行い、メモリコントローラ２７に出力する。また、画像処理回路２３は、Ｄ／Ａ変換回路を内蔵する。画像処理回路２３は、Ａ／Ｄ変換回路２２によりデジタル信号に変換された画像データやメモリコントローラ２７により入力される画像データをアナログ信号に変換して、液晶駆動回路２４を介して液晶表示部２５に出力する。これらの画像処理回路２３による画像処理及び表示処理は、マイクロコンピュータ４０により切り替えられる。また、マイクロコンピュータ４０は、撮影画像のカラーバランス情報に基づいてホワイトバランス調整を行う。
【００１４】
液晶表示部２５は、画像等を表示するための背面モニタである。なお、画像等を表示するディスプレイであれば液晶方式に限らず、有機ＥＬ等、他の方式のディスプレイであってもよい。
メモリコントローラ２７は、画像処理回路２３から入力された未処理の画像データをバッファメモリ２６に格納したり、画像処理済みの画像データを記録媒体２８に格納したりする。また、メモリコントローラ２７は、逆にバッファメモリ２６や記録媒体２８から画像データを取り込んで画像処理回路２３に出力する。また、メモリコントローラ２７は、インタフェース２９を介して外部から送られてくる画像データを記録媒体２８に格納したり、逆に記録媒体２８に格納されている画像データをインタフェース２９を介して外部に出力したりすることも可能である。インタフェース２９としては、ＵＳＢ、ＩＥＥＥ、ＨＤＭＩ（登録商標）等のインタフェースが例として挙げられる。記録媒体２８は、メモリカード等の着脱可能な記録媒体でもよいし、内蔵メモリでもよい。
【００１５】
タイミング制御回路３２は、マイクロコンピュータ４０の制御下で、撮像素子２０の駆動タイミングを制御する。
電源制御回路３５は、ＡＣ電源部３０又は２次電池部３１より供給される電源を制御する。電源制御回路３５は、マイクロコンピュータ４０から指示を受けて、電源のオン及びオフを行う。また、電源制御回路３５は、電源状態検知回路３４により検知された現在の電源状態の情報や電源種類検知回路３３により検知された現在の電源の種類の情報をマイクロコンピュータ４０に通知する。
シャッタ制御回路３６は、マイクロコンピュータ４０の制御下で、フォーカルプレーンシャッタ１７を制御する。光学フィルタ振動制御回路３７は、マイクロコンピュータ４０の制御下で、光学フィルタ１８に接続されている圧電素子１９を振動させる。光学フィルタ振動制御回路３７は、振動の振幅、振動時間、振動の軸方向をそれぞれ所定の値で圧電素子を振動させるように、マイクロコンピュータ４０の指示に従い振動させる。
【００１６】
不揮発性メモリ３８は、不揮発性の記録媒体であり、ユーザが任意に設定したシャッタ速度、絞り値、撮影感度等の設定値やその他の各種データを撮像装置１００に電源が入れられていない状態でも、保存することができる。また、不揮発性メモリ３８は、マイクロコンピュータ４０の動作用の定数、プログラム等を記憶する。ここでいうプログラムとは、本実施形態にて後述するフローチャートを実行するためのプログラムのことである。揮発性メモリ３９は、撮像装置１００の内部状態や着脱可能な記録媒体２８の情報等、一時的に記憶しておきたいデータを保存しておく。
【００１７】
ファインダ内液晶表示部４１は、マイクロコンピュータ４０の制御下で、ファインダ内液晶駆動回路４２を介して、現在オートフォーカスが行われている測距点を示す枠や、カメラの設定状態を表すアイコン等を表示する。ファインダ外液晶表示部４３は、マイクロコンピュータ４０の制御下で、ファインダ外液晶駆動回路４４を介して、シャッタ速度や絞りをはじめとするカメラの様々な設定値を表示する。
【００１８】
操作部７０は、ユーザからの操作を受け付ける各種操作部材により構成される。操作部７０には、後述するように、レリーズ釦２０１、メイン電子ダイヤル２０２、サブ電子ダイヤル２０３、電源スイッチ２０４、プロテクト釦２０５、削除釦２０６が含まれる。また、操作部７０には、後述するように、拡大モード釦２０７、再生指示釦２０８、メニュー釦２０９、測距点選択釦２１０、マルチコントローラ２１１、動画レバー２１２、光学トラッキングポインター２１３、オートフォーカス開始釦２１４が含まれる。
マイクロコンピュータ４０は、撮像装置１００に含まれる各部を制御する制御部である。マイクロコンピュータ４０は、不揮発性メモリ３８に格納されたプログラムを揮発性メモリ３９に展開して実行することにより、後述する各処理を実行する。
【００１９】
図２は、撮像装置１００の外観構成例を示す図であり、（ａ）が正面図、（ｂ）が背面図である。図１と共通する構成には、同一の符号を付す。
レリーズ釦２０１は、撮影の準備指示及び撮影指示を行うための操作部材である。レリーズ釦２０１を半押しすることで、被写体の輝度の測定や合焦が行われる。また、レリーズ釦２０１を全押しすることで、シャッタが切られ、画像の撮影が行われる。
メイン電子ダイヤル２０２は、回転操作部材により構成され、メイン電子ダイヤル２０２を回すことで、シャッタ速度や絞り等の設定値の設定を行ったり、拡大モードでの拡大倍率の微調整を行ったりする。
サブ電子ダイヤル２０３は、回転操作部材により構成され、サブ電子ダイヤル２０３を回すことで、絞りや露出補正等の設定値の設定を行ったり、画像表示状態での画像の１枚送り操作等を行ったりする。
【００２０】
電源スイッチ２０４は、電源のオン及びオフを行うための操作部材である。
プロテクト釦２０５は、撮像装置１００内外の記録媒体に保存されている画像に対して、プロテクトやレーティングといった処理を施すための操作部材である。
削除釦２０６は、撮像装置１００内外の記録媒体に保存されている画像に対して、削除を指示するための操作部材である。
拡大モード釦２０７は、再生状態において、拡大モードへの遷移指示（拡大モードの開始指示）、及び拡大モードから抜ける指示（拡大モードの終了指示）を行う操作を受け付けるための操作部材である。
再生指示釦２０８は、撮像装置１００内外の記録媒体に保存されている画像を液晶表示部２５に表示させるための操作部材である。
【００２１】
メニュー釦２０９は、各種設定画面を液晶表示部２５に表示させるための操作部材である。
測距点選択釦２１０は、オートフォーカスの開始ポイントである測距点を選択するモードに入るための操作部材である。
マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【００２２】
動画レバー２１２は、動画記録可能な状態である動画撮影モードに遷移させる指示を行うための操作部材である。動画レバー２１２は、ツマミの位置を変位させ、その位置が静的に固定されるものであり、動画レバー２１２をオン位置に位置させることにより、動画撮影モードへの遷移を指示することができる。このように動画撮影モードへの遷移がワンタッチ操作で可能となり、操作性を向上させることができる。動画レバー２１２の、オン位置と異なるオフ位置は、静止画撮影モードに対応する。また、オン位置（動画撮影モードに対応）とオフ位置（静止画撮影モードに対応）の２ポジションから切り換え可能なものに限るものではなく、電源オフや再生モードに対応する位置を含む３ポジション以上に切り換え可能な操作部材としてもよい。すなわち、動画レバー２１２は、動画撮影モードと静止画撮影モードを含む複数の動作モードのうちいずれかに対応する位置に変位可能な操作部材である。
光学トラッキングポインター２１３は、タッチ操作を受け付けることが可能な操作部材（例えば赤外線式センサ）である。
オートフォーカス開始釦２１４は、オートフォーカスの開始を指示するための操作部材である。オートフォーカス開始釦２１４内に光学トラッキングポインター２１３が組み込まれており、タッチ操作及びスライド操作をしながら即座にＡＦ開始できるようになっている。
【００２３】
ここで、動画レバー２１２の誤操作により意図せずに動画撮影モードに遷移するのを回避するために、動画レバー２１２の操作による指示の有効化及び無効化を設定することができる（以下、動画レバー有効／無効設定と呼ぶ）。無効化に設定されている限り、動画レバー２１２の操作による指示を常時無効とする制限状態にすることができる。
動画レバー有効／無効設定は、例えば以下のようにして行われる。ユーザがメニュー釦２０９を押下したことに応じて、マイクロコンピュータ４０は、液晶表示部２５に、各種設定を変更するためのメニュー画面を表示する。メニュー画面の中から、動画レバー有効／無効設定の項目を選択して決定するユーザ操作に応じて、マイクロコンピュータ４０は、図８に示すように、液晶表示部２５に、動画レバー有効／無効設定画面８０１を表示する。動画レバー有効／無効設定画面８０１では、「有効」及び「無効」が選択肢として表示され、ユーザが「有効」又は「無効」を選択することにより、マイクロコンピュータ４０は有効化するか、無効化するかの設定を受け付ける。
【００２４】
以下、図３〜図９を参照して、撮像装置１００が実行する処理動作を説明する。
図３は、撮像装置１００が実行する撮影モード処理を示すフローチャートである。図３のフローチャートは、電源がオン状態になると開始される。図３のフローチャートの各処理は、マイクロコンピュータ４０が不揮発性メモリ３８に格納されたプログラムを揮発性メモリ３９に展開して実行することにより実現される。
ステップＳ３０１で、マイクロコンピュータ４０は、不揮発性メモリ３８から動画レバー有効／無効設定状態を読み出す。
ステップＳ３０２で、マイクロコンピュータ４０は、動画レバー２１２がオン位置（動画撮影モードへの遷移を指示する位置）にあるか否かを判定する。動画レバー２１２がオン位置にある場合はステップＳ３０３に進み、動画レバー２１２がオン位置にない場合はステップＳ３０４に進む。
【００２５】
ステップＳ３０３で、マイクロコンピュータ４０は、ステップＳ３０１において読み出した動画レバー有効／無効設定状態を参照し、有効化に設定されているか否かを判定する。有効化に設定されている場合はステップＳ３０５に進み、有効化に設定されていない、すなわち無効化（制限状態）に設定されている場合はステップＳ３０４に進む。
【００２６】
ステップＳ３０４で、マイクロコンピュータ４０は、動画レバー２１２の操作による指示以外の、動画撮影モードに遷移させる指示がある否か判定する。動画撮影モードに遷移させる指示がある場合はステップＳ３０５に進み、動画撮影モードに遷移させる指示がない場合はステップＳ３０７に進む。動画レバー２１２の操作による指示以外の指示としては、例えばスマートフォンから行う動画撮影モード遷移指示や、パソコンから行う動画撮影モード遷移指示等に代表される、リモート操作による指示がある。
【００２７】
ステップＳ３０５で、マイクロコンピュータ４０は、現在の動作モード（ステップＳ３０６での動作モードの切り換え前の動作モード）が動画撮影モードであるか否か判定する。動画撮影モードである場合はステップＳ３０９に進み、動画撮影モードでない場合（例えば静止画撮影モードである場合）はステップＳ３０６に進む。
ステップＳ３０６で、マイクロコンピュータ４０は、動画撮影モード遷移処理を行う。動画撮影モード遷移処理の詳細については後述する。
【００２８】
ステップＳ３０７で、マイクロコンピュータ４０は、現在の動作モード（ステップＳ３０８での動作モードの切り換え前の動作モード）が静止画撮影モードであるか否か判定する。静止画撮影モードである場合はステップＳ３０９に進み、静止画撮影モードでない場合（例えば動画撮影モードである場合）はステップＳ３０８に進む。
ステップＳ３０８で、マイクロコンピュータ４０は、静止画撮影モード遷移処理を行う。静止画撮影モード遷移処理の詳細については後述する。
【００２９】
ステップＳ３０９で、マイクロコンピュータ４０は、動画レバー有効／無効設定の切替操作があるか否かを判定する。動画レバー有効／無効設定の切替操作がある場合はステップＳ３１０に進み、動画レバー有効／無効の切替操作がない場合はステップＳ３１１に進む。図８の動画レバー有効／無効設定画面８０１に表示された選択肢のうち、現在設定されている選択肢と異なる選択肢を選択して決定するユーザ操作があると、動画レバー有効／無効設定の切替操作があったと判定するようにすればよい。
ステップＳ３１０で、マイクロコンピュータ４０は、動画レバー有効／無効設定の切替処理を行う。動画レバー有効／無効設定の切替処理の詳細については後述する。
ステップＳ３１１で、マイクロコンピュータ４０は、電源がオフ状態に切り替えるイベント（電源スイッチ２０４の操作等）が発生したか否かを判定する。電源をオフ状態に切り替えるイベントが発生していない場合はステップＳ３０２に戻り、電源をオフ状態に切り換えるイベントが発生した場合は撮影モード処理を終了する。
【００３０】
次に、ステップＳ３０６の動画撮影モード遷移処理の詳細について説明する。
図４は、動画撮影モード遷移処理の詳細を説明するためのフローチャートである。
ステップＳ４０１で、マイクロコンピュータ４０は、ＡＥセンサ１５より被写体の輝度を取得し、取得した被写体輝度に対して、プログラム線図に沿った電子シャッタ速度、絞り値、撮影感度を設定する。
ステップＳ４０２で、マイクロコンピュータ４０は、クイックリターンミラー１２をアップさせるように制御する。
ステップＳ４０３で、マイクロコンピュータ４０は、ステップＳ４０１において設定した絞り値を、通信端子６、１０を介してレンズユニット２００のレンズシステム制御回路４に送信するように制御する。レンズシステム制御回路４は、この絞り値に基づいて絞り駆動回路２を介して絞り１を絞り込む。
ステップＳ４０４で、マイクロコンピュータ４０は、フォーカルプレーンシャッタ１７を開くように制御する。
【００３１】
ステップＳ４０５で、マイクロコンピュータ４０は、画像取り込み処理を行うように制御する。具体的には、マイクロコンピュータ４０は、ステップＳ４０１において設定した電子シャッタ速度に基づいて、タイミング制御回路３２を介して撮像素子２０の駆動タイミングを制御する。また、マイクロコンピュータ４０は、ＡＭＰ回路２１により、ステップＳ４０１において設定した撮影感度に応じたゲインで撮影信号を増幅し、Ａ／Ｄ変換回路２２を介してデジタル信号に変換し、画像処理回路２３を介して、画像データをバッファメモリ２６に取り込むよう制御する。
ステップＳ４０６で、マイクロコンピュータ４０は、バッファメモリ２６に取り込まれた画像データを画像表示するように制御する。具体的には、マイクロコンピュータ４０の制御下で、画像処理回路２３は、バッファメモリ２６に取り込まれ、メモリコントローラ２７により入力される画像データをアナログ信号に変換して、液晶駆動回路２４を介して液晶表示部２５に出力する。これにより、図９に示すように、液晶表示部２５にライブビュー画像９０１が表示される。
【００３２】
以上のようにして動画撮影モードに遷移すると、各種回路が常に動作し続けることになる。そのため、例えば持ち歩いている最中に、動画レバー２１２に触れる等の誤操作で、動画撮影モードに遷移してしまうと、ユーザの意図しないところで撮像装置１００が動作し続けることになってしまう。その結果、消費電流の増大等、ユーザにとって不利益となる状態を生んでしまう。また、誤って動画の撮影指示操作があると、ユーザの意図しないところで動画の記録が開始され、動画の記録が継続する限り、メモリカードの容量及び電池残量を浪費してしまう。
【００３３】
次に、ステップＳ３０８の静止画撮影モード遷移処理の詳細について説明する。
図５は、静止画撮影モード遷移処理の詳細を説明するためのフローチャートである。
ステップＳ５０１で、マイクロコンピュータ４０は、クイックリターンミラー１２をダウンさせるように制御する。
ステップＳ５０２で、マイクロコンピュータ４０は、絞り開放指示を、通信端子６、１０を介してレンズユニット２００のレンズシステム制御回路４に送信するように制御する。レンズシステム制御回路４は、この絞り開放指示に基づいて絞り駆動回路２を介して絞り１を開放する。
ステップＳ３０３で、マイクロコンピュータ４０は、フォーカルプレーンシャッタ１７を閉じるように制御する。
ステップＳ３０４で、マイクロコンピュータ４０は、タイミング制御回路３２を介して撮像素子２０の駆動を停止するように制御する。
【００３４】
以上のようにして静止画撮影モードに遷移すると、各種回路は停止し、撮影指示があるまで基本的に動作することはなくなる。なお、この状態は、光学ファインダで被写体像を確認可能な光学ファインダモードでの静止画撮影モードである。ライブビュー表示を伴う静止画撮影モードである場合には、撮像素子２０の駆動は停止せずにライブビューを撮影可能であり、ライブビュー画像の撮影が行われる。また、誤って静止画の撮影指示があっても、撮影は１回の指示分しか行われないため、動画撮影のように記録が継続するということはない。また、動画撮影モードである場合の動画の撮影指示操作と同じ操作があっても、動画の記録は開始されない。したがって、誤操作があったとしても、メモリカードの容量及び電池残量の浪費が抑制される。
【００３５】
次に、ステップＳ３１０の動画レバー有効／無効設定の切替処理の詳細について説明する。
図６は、動画レバー有効／無効設定の切替処理の詳細を説明するためのフローチャートである。
ステップＳ６０１で、マイクロコンピュータ４０は、ステップＳ３０９において判定した切替操作に応じて、切替後の動画レバー有効／無効設定状態を不揮発性メモリ３８に保存するように制御する。
ステップＳ６０２で、マイクロコンピュータ４０は、現在の撮影モードが動画撮影モードであるか否か判定する。動画撮影モードである場合はステップＳ６０３に進み、動画撮影モードでない場合はステップＳ６０５に進む。
【００３６】
ステップＳ６０３で、マイクロコンピュータ４０は、動画レバー有効／無効設定状態を参照し、有効化に設定されているか否かを判定する。有効化に設定されている場合はステップＳ６０５に進み、有効化に設定されていない、すなわち無効化（制限状態）に設定されている場合はステップＳ６０４に進む。
ステップＳ６０４で、マイクロコンピュータ４０は、静止画撮影モード遷移処理を行う。静止画撮影モード遷移処理は、ステップＳ３０８と同様であり、ここではその説明を省略する。
ステップＳ６０５で、マイクロコンピュータ４０は、再起動処理を行う。再起動処理の詳細については後述する。
【００３７】
次に、ステップＳ６０５の再起動処理の詳細について説明する。
図７は、再起動理の詳細を説明するためのフローチャートである。
ステップＳ７０１で、マイクロコンピュータ４０は、液晶表示部２５の表示画面をブラックアウトするように制御する。具体的には、マイクロコンピュータ４０の制御下で、画像処理回路２３は、黒画像データをアナログ信号に変換して、液晶駆動回路２４を介して液晶表示部２５に出力する。
ステップＳ７０２で、マイクロコンピュータ４０は、再起動タイマーを開始するように制御する。
ステップＳ７０３で、マイクロコンピュータ４０は、再起動タイマーが満了するまで待機し、再起動タイマーが満了すると、ステップＳ７０４に進む。
ステップＳ７０４で、マイクロコンピュータ４０は、内部リセットをかけるように指示する。
【００３８】
以上のように、第１の動作モードに相当する動画撮影モードでの動作時に、動画レバー有効／無効設定が無効化に切り替えられたことに応じて、第２の動作モードに相当する静止画撮影モードに遷移させる。これにより、動画レバー２１２の操作による指示の無効化の設定と、動作モードとの不整合をなくすことができ、ユーザの混乱を招かないようにすることができる。例えば動画レバー２１２がオン位置にあり、動画撮影モードでの動作時にも、動画レバー有効／無効設定が無効化に切り替えられると、動画レバー２１２が示す動作モードとは異なる静止画撮影モードに強制的に遷移させることになる。
【００３９】
なお、動画レバー有効／無効設定は、動画レバー２１２の操作による指示の有効化及び無効化を設定するものであり、無効化に設定されていても、動画レバー２１２の操作による指示とは異なる指示により、動画撮影モードに遷移させることは可能である。すなわち、動作撮影モードでの動作時に、動画レバー有効／無効設定が無効化に切り替えられたことに応じて、静止画撮影モードに遷移させても、その後、動画レバー２１２以外の操作（例えば既述したリモート操作）によって動画撮影モードに遷移させることが可能である。
【００４０】
また、静止画撮影モードに遷移させるときに、再起動処理を伴うようにし、再起動処理を行うときに画面表示をブラックアウトすることにより、静止画撮影モードに遷移することがユーザによりわかりやすく伝わることになる。この再起動処理を伴う静止画撮影モードへの遷移処理は、動画撮影モードでの動作時に、動画レバー有効／無効設定が有効化であった場合に、図８の動画レバー有効／無効設定画面８０１で、「無効」を選択して決定するユーザ操作が行われた時点で行われる。
【００４１】
また、動画レバー有効／無効設定が無効化に設定されれば、誤操作で動画レバー２１２がオン位置に動いたとしても、動画撮影モードに遷移することはなくなることになる。したがって、ユーザの意図しないところで、消費電流の増大等のユーザにとって不利益となる状態を生むこともなくなり、動画撮影を利用する意図のないユーザが安心して使用することが可能となる。
【００４２】
以上、本発明の好ましい実施形態について説明したが、本発明はこれらの実施形態に限定されず、その要旨の範囲内で種々の変形及び変更が可能である。
なお、マイクロコンピュータ４０が行うものとして説明した上述の各種制御は、１つのハードウェアが行ってもよいし、複数のハードウェア（例えば、複数のプロセッサーや回路）が処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４３】
また、上述した実施形態においては、デジタル一眼レフカメラを説明したが、本発明でいう撮像装置には、撮像機能を有する機器類全般が含まれる。
また、撮像装置に限らず、有線又は無線通信を介して撮像装置と通信し、撮像装置を遠隔で制御する制御装置にも本発明は適用可能である。撮像装置を遠隔で制御する装置としては、例えばスマートフォンやタブレットＰＣ、デスクトップＰＣ等の装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線又は無線通信を介して受信して制御装置側で表示できるようにしてもよい。
また、本発明は、撮像装置に限定されず、第１の動作モードに遷移させる指示を行うための操作部材を備え、前記操作部材の操作による指示の有効化及び無効化を設定可能にした電子機器に広く適用可能である。このような電子機器としては、例えばパーソナルコンピュータやＰＤＡ、携帯電話端末や携帯型の画像ビューワ、ディスプレイを備えるプリンタ装置、デジタルフォトフレーム、音楽プレーヤ、ゲーム機、電子ブックリーダ等がある。
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４４】
２５：液晶表示部、４０：マイクロコンピュータ、１００：撮像装置、２１２：動画レバー
【図１】
2020182034.tif 000003
【図２】
2020182034.tif 000004
【図３】
2020182034.tif 000005
【図４】
2020182034.tif 000006
【図５】
2020182034.tif 000007
【図６】
2020182034.tif 000008
【図７】
2020182034.tif 000009
【図８】
2020182034.tif 000010
【図９】
2020182034.tif 000011